(57)【特許請求の範囲】
【請求項１】
被験者に適合する色グループを診断するために、表示部を含む端末又は表示部が接続された端末で使用されるプログラムであって、
互いに異なるベース色によって区分けした複数の色グループのそれぞれを、互いに異なる複数の明度レベルによってさらに区分けした色グループのそれぞれを診断用色グループとし、
前記端末の記憶部には、前記各診断用色グループのうち、被験者に適合する診断用色グループが複数のベース色のいずれに属するものであるかを診断する択一形式のベース色診断用質問事項と、前記各診断用色グループのうち、被験者に適合する診断用色グループが複数の明度レベルのいずれに属するものであるかを診断する択一形式の明度診断用質問事項と、を複数問ずつ含む複数の質問事項が記憶されており、
前記ベース色診断用質問事項及び前記明度診断用質問事項のうち少なくとも一方の質問事項は、前記表示部に表示されるドレープに見立てた画像であって、互いに異なる色の第１ドレープ画像及び第２ドレープ画像を前記表示部に表示させた状態で、前記第１ドレープ画像及び前記第２ドレープ画像のうちいずれのドレープ画像の色が被験者に適合するかを回答させる態様のドレープ表示質問事項と、前記第１ドレープ画像及び前記第２ドレープ画像を用いずに被験者に対する質問事項を前記表示部に文章で表示する態様の文章表示質問事項と、を含むものであり、
前記記憶部に記憶された質問事項を読み出して前記表示部に表示する機能であって、前記記憶部に記憶された前記ドレープ表示質問事項を読み出して前記表示部に表示する場合、前記表示部における矩形状領域を略２等分して三角形状とした一対の領域のうち、一方の領域に前記第１ドレープ画像を表示し、他方の領域に前記第２ドレープ画像を表示する質問事項表示機能と、
前記質問事項表示機能によって質問事項が表示されるたびに、その質問事項に対する回答を前記端末のユーザインターフェースを介して取得する回答取得機能と、
前記回答取得機能によって取得された回答が前記ベース色診断用質問事項に対する回答である場合、その回答に対応するベース色に属する前記診断用色グループ全てに対してポイントを付与し、前記回答取得機能によって取得された回答が前記明度診断用質問事項に対する回答である場合、その回答に対応する明度レベルに属する前記診断用色グループ全てに対してポイントを付与するポイント付与機能と、
前記各診断用色グループのそれぞれについて、前記ポイント付与機能によって付与されたポイントを集計するポイント集計機能と、
前記各診断用色グループのうち、前記ポイント集計機能によって集計されたポイントが最も多い診断用色グループが被験者に適合する診断用色グループである旨を前記表示部に表示する診断結果表示機能と、
を前記端末に実現させるためのプログラム。
【請求項２】
前記質問事項表示機能によって前記ドレープ表示質問事項が前記表示部に表示されている状態で、面積が互いに略等しくされている前記第１ドレープ画像及び前記第２ドレープ画像のうち、一方の面積を縮小させるとともに、他方の面積を増大させる増大機能を前記端末にさらに実現させるための請求項１に記載のプログラム。
【請求項３】
前記ポイント付与機能は、前記回答取得機能によって取得された回答が前記ドレープ表示質問事項に対する回答である場合に付与するポイントを、前記文章表示質問事項に対する回答である場合に付与するポイントよりも多くするものである請求項１又は２記載のプログラム。
【請求項４】
前記診断結果表示機能は、前記各診断用色グループのそれぞれの順位を前記ポイント集計機能によって集計されたポイントが多いものほど高順位に設定し、前記各診断用色グループの全ての順位を識別可能となる形で前記表示部に表示するものである請求項１〜３のいずれか１項に記載のプログラム。
【請求項５】
前記ポイント付与機能は、前記回答取得機能によって回答が取得されるたびに、その回答に対応する前記診断用色グループに対してポイントを付与する機能であり、
前記ポイント集計機能は、前記ポイント付与機能によってポイントが付与されるたびに、付与されたポイントを集計する機能であり、
前記質問事項表示機能によって全ての質問事項を表示し終える前において、前記各診断用色グループのそれぞれの順位を前記ポイント集計機能によって集計された現在のポイントが多いものほど高順位に設定し、前記各診断用色グループの全ての順位を識別可能となる形で前記表示部に表示する中間結果表示機能を前記端末にさらに実現させるための請求項１〜４のいずれか１項に記載のプログラム。
【請求項６】
被験者を前記端末のカメラで撮影する撮影機能を前記端末にさらに実現させ、
前記ベース色診断用質問事項及び前記明度診断用質問事項のうち少なくとも一方の質問事項は、前記撮影機能によって撮影された被験者の撮影画像と、その撮影画像の比較対象となる複数の比較用画像とを前記表示部に表示させた状態で、前記撮影機能によって撮影された撮影画像がいずれの前記比較用画像に近いかを回答させる態様の質問事項を含む請求項１〜５のいずれか１項に記載のプログラム。
【請求項７】
前記診断結果表示機能による表示の後、前記ポイント集計機能によって集計されたポイントが最も多い診断用色グループに属する複数の色を前記表示部に表示する適合色表示機能を前記端末にさらに実現させるための請求項１〜６のいずれか１項に記載のプログラム。
【請求項８】
前記診断は、被験者の手のネイルに適合する色グループの診断である請求項１〜７のいずれか１項に記載のプログラム。
【請求項９】
表示部を含む端末又は表示部が接続された端末と通信可能に構成され、被験者に適合する色グループを診断するために使用されるサーバ装置であって、
互いに異なるベース色によって区分けした複数の色グループのそれぞれを、互いに異なる複数の明度レベルによってさらに区分けした色グループのそれぞれを診断用色グループとし、
前記各診断用色グループのうち、被験者に適合する診断用色グループが複数のベース色のいずれに属するものであるかを診断する択一形式のベース色診断用質問事項と、前記各診断用色グループのうち、被験者に適合する診断用色グループが複数の明度レベルのいずれに属するものであるかを診断する択一形式の明度診断用質問事項と、を複数問ずつ含む複数の質問事項を記憶する記憶手段を備え、
前記ベース色診断用質問事項及び前記明度診断用質問事項は、前記表示部に表示されるドレープに見立てた画像であって、互いに異なる色の第１ドレープ画像及び第２ドレープ画像を前記表示部に表示させた状態で、前記第１ドレープ画像及び前記第２ドレープ画像のうちいずれのドレープ画像の色が被験者に適合するかを回答させる態様のドレープ表示質問事項と、前記第１ドレープ画像及び前記第２ドレープ画像を用いずに被験者に対する質問事項を前記表示部に文章で表示する態様の文章表示質問事項と、を含むものであり、
前記記憶手段に記憶された質問事項を、前記サーバ装置に接続された通信ネットワークを介して、被験者の前記端末に送信して該端末の表示部に表示させる手段であって、前記記憶手段に記憶された前記ドレープ表示質問事項を読み出して前記表示部に表示させる場合、前記表示部における矩形状領域を略２等分して三角形状とした一対の領域のうち、一方の領域に前記第１ドレープ画像を表示させ、他方の領域に前記第２ドレープ画像を表示させる質問事項表示手段と、
前記質問事項表示手段によって質問事項が表示されるたびに、その質問事項に対する回答を、前記通信ネットワークを介して前記端末から取得する回答取得手段と、
前記回答取得手段によって取得された回答が前記ベース色診断用質問事項に対する回答である場合、その回答に対応するベース色に属する前記診断用色グループ全てに対してポイントを付与し、前記回答取得手段によって取得された回答が前記明度診断用質問事項に対する回答である場合、その回答に対応する明度レベルに属する前記診断用色グループ全てに対してポイントを付与するポイント付与手段と、
前記各診断用色グループのそれぞれについて、前記ポイント付与手段によって付与されたポイントを集計するポイント集計手段と、
前記各診断用色グループのうち、前記ポイント集計手段によって集計されたポイントが最も多い診断用色グループが被験者に適合する診断用色グループである旨を、前記通信ネットワークを介して前記表示部に表示させる診断結果表示手段と、
を備えることを特徴とするサーバ装置。
【請求項１０】
前記質問事項表示手段によって前記ドレープ表示質問事項が前記表示部に表示されている状態で、面積が互いに略等しくされている前記第１ドレープ画像及び前記第２ドレープ画像のうち、一方の面積を縮小させるとともに、他方の面積を増大させる増大機能を備えることを特徴とする請求項９に記載のサーバ装置。
【発明の詳細な説明】
【技術分野】
【０００１】
本発明は、被験者に適合する色グループを診断するためのプログラム及びサーバ装置に関する。
【背景技術】
【０００２】
従来、メークや衣服等のコーディネートを決める際に、パーソナルカラーが利用されている。パーソナルカラーとは、個々人に適合する（似合う）色のことである。パーソナルカラーに基づくコーディネートを取り入れることで、人の魅力を高めることができる。
【０００３】
ここで、下記特許文献１には、個々人に適合する色グループを判別するカラーコーディネートシステムが記載されている。このシステムでは、春〜冬タイプに区分けされた４つの色グループのうち、いずれの色グループが被験者に適合する色グループであるかを判別する。４つの色グループは、イエローベース及びブルーベースによって区分けされている。イエローベースの色グループは、明度レベルの高低に従い、さらに春タイプ及び秋タイプの色グループに区分けされており、ブルーベースの色グループは、明度レベルの高低に従い、さらに夏タイプ及び冬タイプの色グループに区分けされている。
【０００４】
上記システムでは、まず、被験者の肌のベース色がイエローベースかブルーベースかを判別する択一形式の複数の質問事項をディスプレイに順次表示する。そして、表示された各質問事項から得られた回答に基づいて、被験者の肌の色がイエローベース及びブルーベースのうちいずれであるかを判別する。続いて、判別されたベース色に属する２つの色グループのうち、いずれの色グループが被験者の肌のベース色に適合するかを判別する択一形式の複数の質問事項をディスプレイに順次表示する。そして、表示された各質問事項から得られた回答に基づいて、被験者の肌のベース色に適合する色グループを最終的に判別する。
【先行技術文献】
【特許文献】
【０００５】
【特許文献１】特開平１１−３３８９１３号公報
【発明の概要】
【発明が解決しようとする課題】
【０００６】
ここで、上記特許文献１に記載されたシステムでは、被験者の肌の色がイエローベースであるかブルーベースであるかを判別した上で、判別されたベース色に属する色グループのいずれかを被験者に適合する色グループとして判別している。このため、ベース色にとらわれた診断結果が導かれる等、ベース色が診断結果に及ぼす影響と明度レベルが診断結果に及ぼす影響とのバランスを欠き、色グループの診断精度が低下するおそれがある。
【０００７】
また、上記特許文献１に記載されたシステムでは、ベース色を判別した後、最終的な色グループ判別用の質問事項に対する回答の選択肢を、各ベース色のそれぞれで専用に設定している。具体的には、春タイプであるか秋タイプであるかの判別用と、夏タイプであるか冬タイプであるかの判別用とのそれぞれで専用に設定している。このため、用意すべき質問事項の選択肢数が増大し、システム設計の工数が増大するおそれがある。このように、被験者に適合する色グループを診断する手法については、未だ改善の余地を残すものとなっている。
【０００８】
本発明は、上記事情に鑑みてなされたものであり、設計時における工数増大を回避しつつ、被験者に適合する色グループの診断精度を向上させることができるプログラム及びサーバ装置の提供を主たる目的とするものである。
【課題を解決するための手段】
【０００９】
上記目的を達成すべく、本発明は、被験者に適合する色グループを診断するために、表示部を含む端末又は表示部が接続された端末で使用されるプログラムであって、互いに異なるベース色によって区分けした複数の色グループのそれぞれを、互いに異なる複数の明度レベルによってさらに区分けした色グループのそれぞれを診断用色グループとし、前記端末の記憶部には、前記各診断用色グループのうち、被験者に適合する診断用色グループが複数のベース色のいずれに属するものであるかを診断する択一形式のベース色診断用質問事項と、前記各診断用色グループのうち、被験者に適合する診断用色グループが複数の明度レベルのいずれに属するものであるかを診断する択一形式の明度診断用質問事項と、を複数問ずつ含む複数の質問事項が記憶されており、前記ベース色診断用質問事項及び前記明度診断用質問事項のうち少なくとも一方の質問事項は、前記表示部に表示されるドレープに見立てた画像であって、互いに異なる色の複数のドレープ画像を前記表示部に表示させた状態で、いずれの前記ドレープ画像の色が被験者に適合するかを回答させる態様のドレープ表示質問事項と、前記ドレープ画像を用いずに被験者に対する質問事項を前記表示部に文章で表示する態様の文章表示質問事項と、を含むものであり、前記記憶部に記憶された質問事項を読み出して前記表示部に表示する質問事項表示機能と、前記質問事項表示機能によって質問事項が表示されるたびに、その質問事項に対する回答を前記端末のユーザインターフェースを介して取得する回答取得機能と、前記回答取得機能によって取得された回答が前記ベース色診断用質問事項に対する回答である場合、その回答に対応するベース色に属する前記診断用色グループ全てに対してポイントを付与し、前記回答取得機能によって取得された回答が前記明度診断用質問事項に対する回答である場合、その回答に対応する明度レベルに属する前記診断用色グループ全てに対してポイントを付与するポイント付与機能と、前記各診断用色グループのそれぞれについて、前記ポイント付与機能によって付与されたポイントを集計するポイント集計機能と、前記各診断用色グループのうち、前記ポイント集計機能によって集計されたポイントが最も多い診断用色グループが被験者に適合する診断用色グループである旨を前記表示部に表示する診断結果表示機能と、を前記端末に実現させるためのプログラムとした。
【００１０】
上記発明では、質問事項の回答に対応した診断用色グループに対してポイントを付与する。そして各診断用色グループのそれぞれについて、付与されたポイントを集計し、集計されたポイントが最も多い診断用色グループが被験者に適合する診断用色グループである旨を診断結果として表示部に表示する。ここで、上記発明では、被験者に対する質問事項に、ベース色診断用質問事項と、明度診断用質問事項とを含ませている。ベース色診断用質問事項は、明度レベルの区分にかかわらず、各ベース色と、被験者に適合する色グループとを対応付けた質問設定が可能であることに鑑みて設定されたものである。一方、明度診断用質問事項は、ベース色の区分にかかわらず、明度レベルの高低と、被験者に適合する色グループとを対応付けた質問設定が可能であることに鑑みて設定されたものである。
【００１１】
ベース色診断用質問事項及び明度診断用質問事項によれば、被験者に対して、ベース色の区分けにとらわれない質問をすることができる。このため、上記特許文献１に記載のものと比較して、ベース色が診断結果に及ぼす影響と、明度レベルが診断結果に及ぼす影響とのバランスを図ることができる。これにより、被験者に適合する色グループの診断精度を向上させることができる。
【００１２】
また、上記発明は、ベース色を決めた上で、最終的に適合する色グループを判別するものではない。このため、上記特許文献１に記載のものと比較して、診断のために用意すべき質問事項の回答の選択肢数が増大することを回避することもできる。これにより、プログラム設計時の工数増大を回避することができる。
【００１３】
さらに、上記発明において、ドレープ表示質問事項と文章表示質問事項とを被験者に対する質問事項に含ませていることが、診断精度の向上に大きく寄与している。つまり、ドレープ表示質問事項によれば、例えば被験者が手をドレープ画像にかざした状態で、被験者の肌の色とドレープ画像の色とを直接比較することができる。このため、いずれの色が被験者に適合するかを客観的かつ的確に判断することができる。
【００１４】
一方、文章表示質問事項によれば、ドレープ表示質問事項の果たす役割を補完することができる。つまり、端末の表示部に周囲の照明等が映り込んだり、表示部のバックライトが暗すぎたりする場合には、表示部に表示されたドレープ画像が見にくくなることがある。ドレープ画像が見にくくなると、いずれの色が適合するかを被験者が誤って判断し、回答するおそれがある。その結果、色グループの診断精度が低下するおそれがある。ここで、質問事項を表示部に文章で表示する文章表示質問事項によれば、表示部に照明等が映り込む場合であっても、質問事項を誤って読んでしまう可能性は低いと考えられる。したがって、ドレープ表示質問事項と文章表示質問事項との双方を質問事項とすることにより、色グループの診断精度をより向上させることができる。
【図面の簡単な説明】
【００１５】
【図１】（ａ）は携帯端末の外観を示す正面図、（ｂ）は背面図。
【図２】携帯端末の構成要素を示すブロック図。
【図３】カラー診断処理の手順を示すフローチャート。
【図４】カラー診断の質問事項リスト。
【図５】ドレープ表示質問事項が表示された状態を示す図。
【図６】文章表示質問事項が表示された状態を示す図。
【図７】撮影画像質問事項が表示された状態を示す図。
【図８】最終診断結果が表示された状態を示す図。
【図９】サンプルカラーが表示された状態を示す図。
【図１０】第２実施形態のドレープ表示質問事項が表示された状態を示す図。
【図１１】ドレープ画像に被験者の手をかざした状態を示す図。
【図１２】第１，第２ドレープ画像の面積変更機能を説明するための図。
【図１３】第３実施形態にかかる診断システムの全体構成図。
【図１４】カラー診断処理の手順を示すフローチャート。
【発明を実施するための形態】
【００１６】
（第１実施形態）
第１実施形態は、ｉＰａｄ（登録商標）等のタブレット型携帯端末に手のネイルカラー診断機能を実現させるプログラムとして具体化している。
【００１７】
図１に示すように、携帯端末１０は、本体１１、表示部１２、正面側カメラ１３ｆ及び背面側カメラ１３ｂを備えている。本体１１は、矩形板状（長方形板状）をなしており、例えば樹脂や金属によって形成されている。表示部１２は、本体１１の正面側に設けられており、液晶パネル等で構成されている。本実施形態において、表示部１２は、ユーザの指等が接触したことを検知するタッチパネルとして構成されている。正面側カメラ１３ｆは、本体１１の正面側に設けられ、背面側カメラ１３ｂは、本体１１の背面側に設けられている。
【００１８】
図２に示すように、携帯端末１０は、端末側制御部１４、端末側通信部１５、端末側信号処理部１６、端末側記憶部１７、入力部１８、上記表示部１２及び各カメラ１３ｆ，１３ｂを備えている。端末側制御部１４は、ＣＰＵを主体として構成されている。端末側制御部１４は、携帯端末１０における各種制御を司る制御中枢部であり、通信、表示、及び画像撮影等に関する制御を実行する。端末側通信部１５は、インターネット及び携帯電話網を含む通信ネットワークを介して外部と無線通信可能に構成され、通信ネットワークに接続するために最寄りの基地局との間で無線通信を行う。端末側信号処理部１６は、端末側制御部１４側から端末側通信部１５へ出力する送信信号の信号処理、及び端末側通信部１５で受信された受信信号を端末側制御部１４側に伝達するための信号処理を行う。端末側記憶部１７は、ＲＯＭやＲＡＭよりなるメモリであり、ＲＯＭにはＣＰＵが実行する各種アプリケーションのプログラム等が記憶されており、ＲＡＭには作業領域等が設けられている。入力部１８は、上記タッチパネルとしての表示部１２を備え、ユーザの操作を入力するユーザインターフェースである。表示部１２は、端末側制御部１４の表示制御により各種の画像を表示する。各カメラ１３ｆ，１３ｂは、端末側制御部１４の指令に基づいて被写体を撮影する。
【００１９】
続いて、本実施形態にかかるパーソナルネイルカラー診断機能について説明する。この診断機能は、携帯端末１０（具体的には、端末側記憶部１７）にコンピュータプログラムがインストールされることで実現される。コンピュータプログラムは、通信ネットワークや、コンピュータプログラムが記録されたコンピュータ読み取り可能な記録媒体を通じて、端末側記憶部１７にインストールすることができる。
【００２０】
本実施形態にかかるカラー診断機能は、被験者の手のネイルに適合する色グループを診断するためのものである。詳しくは、４つのタイプＳＰ〜ＷＩと対応付けられた質問事項を端末側記憶部１７から順次読み出して表示部１２に順次表示する。そして、表示した質問事項の回答に対応する各タイプＳＰ〜ＷＩに対してポイントを付与する。そして、各タイプＳＰ〜ＷＩのそれぞれについて付与されたポイントを集計し、各タイプＳＰ〜ＷＩのうち、集計されたポイントが最も多いタイプが被験者に適合する色グループである旨を表示部１２に表示する。
【００２１】
ここで、上記４つのタイプＳＰ〜ＷＩは、フォーシーズン分類によって区分けされた色グループである。４つの色グループとは、互いに異なるベース色（イエローアンダートーン及びブルーアンダートーン）によって区分けした２つの色グループのそれぞれを、互いに異なる２つの明度レベルによってさらに区分けしたものである。詳しくは、ベース色がイエローアンダートーンであってかつ明度レベルが高明度レベルの色グループを春タイプＳＰとして区分けし、ベース色がイエローアンダートーンであってかつ明度レベルが高明度レベルよりも低い（暗い）低明度レベルの色グループを秋タイプＡＵとして区分けする。一方、ベース色がブルーアンダートーンであってかつ明度レベルが高明度レベルの色グループを夏タイプＳＵとして区分けし、ベース色がブルーアンダートーンであってかつ明度レベルが低明度レベルの色グループを冬タイプＷＩとして区分けする。ここで本実施形態において、イエローアンダートーンとは、色相環上で黄よりに位置する色を示し、ブルーアンダートーンとは、色相環上で青よりに位置する色を示す。
【００２２】
続いて、図３のフローチャートを参照して、本実施形態にかかるパーソナルネイルカラー診断処理の手順を説明する。この処理は、端末側記憶部１７に記憶されたカラー診断用のコンピュータプログラムと、携帯端末１０の各要素（表示部１２〜入力部１８）との協働によって実行される。なお、本実施形態では、サロンの店員（例えばネイリスト）が、サロンに来店した被験者としての顧客に対してネイルカラー診断サービスを行う場面を想定している。
【００２３】
この一連の処理では、まず、例えばパーソナルネイルカラーとは何かについて、被験者に対する説明処理がなされる。その後、ステップＳ１０において、端末側記憶部１７に記憶されている複数の質問事項の中から選択したものを端末側記憶部１７から読み出し、読み出した質問事項を二者択一形式の回答ボタンとともに表示部１２に表示する。本実施形態では、質問事項として、図４に示す質問事項を端末側記憶部１７から順次読み出して表示する。
【００２４】
詳しくは、複数の質問事項は、ベース色診断用質問事項（Ｑ１，Ｑ２，Ｑ５〜Ｑ８，Ｑ１３）と、明度診断用質問事項（Ｑ３，Ｑ４，Ｑ９〜Ｑ１２，Ｑ１４）とからなる。ここで、ベース色診断用質問事項とは、被験者に適合するタイプがイエローアンダートーン及びブルーアンダートーンのいずれに属するものであるかを診断する二者択一形式の質問事項のことである。また、明度診断用質問事項とは、被験者に適合するタイプが高明度レベル及び低明度レベルのいずれに属するものであるかを診断する二者択一形式の質問事項のことである。
【００２５】
さらに、本実施形態において、アンダートーン診断用質問事項及び明度診断用質問事項のそれぞれは、ドレープ表示質問事項、文章表示質問事項、及び撮影画像質問事項からなる。図４に示すこれら各質問事項Ｑ１〜Ｑ１４は、その回答に対してどのタイプにどれだけのポイントを付与するかの情報と対応付けられて端末側記憶部１７に記憶されている。以下、各質問事項について詳述する。
【００２６】
＜１．ドレープ表示質問事項（Ｑ１〜Ｑ４）＞
図５を用いて、ドレープ表示質問事項について説明する。ドレープ表示質問事項とは、「どちらが綺麗に見えますか？」という文章とともに、第１，第２ドレープ画像２０ａ，２０ｂと、第１，第２回答ボタン２１ａ，２１ｂとを表示部１２に表示させた状態で、各ドレープ画像２０ａ，２０ｂのうちいずれのドレープ画像の色が被験者に適合するかを回答させる態様の質問事項である。この質問事項において、第１回答ボタン２１ａは、第１ドレープ画像２０ａを回答として選択するためのものであり、第２回答ボタン２１ｂは、第２ドレープ画像２０ｂを回答として選択するためのものである。
【００２７】
各ドレープ画像２０ａ，２０ｂは、表示部１２の長辺と平行な長辺を有する長方形領域に表示されており、また、面積が互いに等しく設定されている。ここで、第１の質問事項Ｑ１では、第１ドレープ画像２０ａとして、色相が赤であってかつベース色がイエローアンダートーンのものを表示させ、第２ドレープ画像２０ｂとして、色相が赤であってかつベース色がブルーアンダートーンのものを表示させる。そして、第１回答ボタン２１ａが操作されることで、図４に示すように、春タイプＳＰ及び秋タイプＡＵに対して２ポイントが付与され、第２回答ボタン２１ｂが操作されることで、夏タイプＳＵ及び冬タイプＷＩに対して２ポイントが付与される。ちなみに、第２の質問事項Ｑ２では、第１ドレープ画像２０ａとして、色相が緑であってかつベース色がイエローアンダートーンのものを表示させ、第２ドレープ画像２０ｂとして、色相が緑であってかつベース色がブルーアンダートーンのものを表示させる。
【００２８】
第３の質問事項Ｑ３では、第１ドレープ画像２０ａとして、色相が青であってかつ明度レベルが高明度レベルのものを表示させ、第２ドレープ画像２０ｂとして、色相が青であってかつ明度レベルが低明度レベルのものを表示させる。そして、第１回答ボタン２１ａが操作されることで、春タイプＳＰ及び夏タイプＳＵに対して２ポイントが付与され、第２回答ボタン２１ｂが操作されることで、秋タイプＡＵ及び冬タイプＷＩに対して２ポイントが付与される。ちなみに、第４の質問事項Ｑ４では、第１ドレープ画像２０ａとして、色相が黄であってかつ明度レベルが高明度レベルのものを表示させ、第２ドレープ画像２０ｂとして、色相が黄であってかつ明度レベルが低明度レベルのものを表示させる。
【００２９】
ドレープ表示質問事項によれば、被験者の右手のひらを第１ドレープ画像２０ａ上にかざさせるとともに、左手のひらを第２ドレープ画像２０ｂ上にかざさせた状態で、ドレープの色と被験者の手肌の色とを直接比較できる。このため、いずれの色が被験者に適合するかを客観的かつ的確に判断できる。
【００３０】
＜２．文章表示質問事項（Ｑ５〜Ｑ１２）＞
図６を用いて、文章表示質問事項について説明する。文章表示質問事項とは、ドレープ画像を表示部１２に表示せず、被験者に対する質問事項を表示部１２に文章で表示する態様の質問事項である。第５の質問事項Ｑ５は、「寒いところから暖かいところに入ったとき、頬が赤くなりますか？」というものである。文章表示質問事項が表示されている場合において、第１回答ボタン２１ａは、質問事項に肯定する回答を選択するためのものであり、第２回答ボタン２１ｂは、質問事項に否定する回答を選択するためのものである。
【００３１】
ここで、第５〜第８の質問事項Ｑ５〜Ｑ８では、第１回答ボタン２１ａ及び第２回答ボタン２１ｂのいずれかが被験者によって操作されることにより、春タイプＳＰ及び秋タイプＡＵの組、又は夏タイプＳＵ及び冬タイプＷＩの組に対して１ポイントが付与される。また、第９〜第１２の質問事項Ｑ９〜Ｑ１２では、第１回答ボタン２１ａ及び第２回答ボタン２１ｂのいずれかが被験者によって操作されることにより、春タイプＳＰ及び夏タイプＳＵの組、又は秋タイプＡＵ及び冬タイプＷＩの組に対して１ポイントが付与される。
【００３２】
＜３．撮影画像質問事項（Ｑ１３，Ｑ１４）＞
図７を用いて、撮影画像質問事項について説明する。撮影画像質問事項は、携帯端末１０のカメラによって被験者の特定部位を撮影し、撮影された画像に基づいて質問に回答するものである。この質問事項において、表示部１２には、撮影画像表示領域２１ｃ、カメラ起動ボタン３０ａ及びカメラ切替ボタン３０ｂが表示されている。カメラ起動ボタン３０ａは、その操作によってカメラ１３ｆ，１３ｂを起動させるためのものである。本実施形態では、カメラ起動ボタン３０ａが一度操作されると、このボタンが、被写体を撮影するキャプチャボタンとなる。カメラ切替ボタン３０ｂは、撮影画像表示領域２１ｃに表示する映像を、正面側カメラ１３ｆ及び背面側カメラ１３ｂのいずれによって撮影されるものかを切り替えるためのものである。
【００３３】
第１３の質問事項Ｑ１３は、「ほくろの色はどちらに近いですか？」という文章とともに、第１グラデーションバー２１ｄと、第２グラデーションバー２１ｅとを表示させたものである。ここで、第１グラデーションバー２１ｄは、ベース色をイエローアンダートーンとする色がグラデーション状に示されたカラーバーのことである。また、第２グラデーションバー２１ｅは、ベース色をブルーアンダートーンとする色がグラデーション状に示されたカラーバーのことである。この質問事項Ｑ１３が表示されると、サロンの店員がカメラ切替ボタン３０ｂ及びカメラ起動ボタン３０ａを操作することで、背面側カメラ１３ｂによって顧客のほくろを撮影する。図１２には、撮影画像表示領域２１ｃに、顧客のほくろの撮影画像が表示されている状態を示した。撮影画像が撮影画像表示領域２１ｃに表示された状態で、ほくろの色に近いグラデーションバーに対応する回答ボタンを操作する。第１回答ボタン２１ａが操作されることで、春タイプＳＰ及び秋タイプＡＵに対して１ポイントが付与され、第２回答ボタン２１ｂが操作されることで、夏タイプＳＵ及び冬タイプＷＩに対して１ポイントが付与される。なお、第１４の質問事項Ｑ１４では、「リップラインははっきりしていますか？」という文章とともに、リップラインの異なる２つの画像を表示部１２に表示させて回答を求める。
【００３４】
ここで、本実施形態では、ベース色及び明度レベルのそれぞれが診断結果に与える影響を均等にするように、質問事項の数と、各質問事項に対する付与ポイントとを設定している。詳しくは、各タイプに対する付与ポイントの最大合計値（本実施形態では、第１〜第１４の質問事項Ｑ１〜Ｑ１４のポイント合計値である１８ポイント）が各タイプのそれぞれで互いに同一となるように、質問事項の数と付与ポイントとを設定している。より詳しくは、ベース色診断用質問事項の数（７つ）と、明度診断用質問事項の数（７つ）とを同一に設定している。また、ベース色診断用質問事項と、明度診断用質問事項とのそれぞれについて、２ポイント付与される質問事項と、１ポイント付与される質問事項とを同数に設定している。
【００３５】
また、本実施形態では、全ての質問事項Ｑ１〜Ｑ１４のうち前半部分に２ポイント付与される質問事項を設定している。これは、診断の後半において被験者の集中力が途切れて適切な回答が得られず、診断精度が低下することを回避するためのものである。
【００３６】
先の図３の説明に戻り、続くステップＳ１１では、表示部１２に表示されたスキップボタン３０ｃが操作され、スキップが指示されたか否かを判定する（先の図５〜図７参照）。このステップは、表示部１２に表示された質問事項をスキップして次の質問事項を表示部１２に表示させるためのものである。これにより、判断に迷う質問事項や回答しづらい質問事項に被験者が無理に回答されることを防止でき、診断精度の低下を回避できる。なお、スキップされた質問事項については、各タイプに対してポイントは付与されない。
【００３７】
ステップＳ１１においてスキップが指示されたと判定した場合には、ステップＳ１２に進む、ステップＳ１２では、上記ステップＳ１０において表示された質問事項に対して、第１回答ボタン２１ａ及び第２回答ボタン２１ｂのいずれが操作されたかの情報を取得する。そして、取得した情報に基づいて、４つのタイプＳＰ〜ＷＩのうち回答に対応したタイプに対して、質問事項に応じたポイントを付与する。
【００３８】
続くステップＳ１３では、４つのタイプＳＰ〜ＷＩのそれぞれについて、現時点までに付与されたポイントを集計する。なお、集計されたポイントは、端末側記憶部１７に都度記憶される。続くステップＳ１４では、表示部１２に表示された中間結果ボタン３０ｄが操作されたか否かを判定する（先の図５〜図７参照）。ステップＳ１２において中間結果ボタン３０ｄが操作されたと判定した場合には、ステップＳ１５に進み、中間診断結果を表示部１２に表示する。なお、中間診断結果については、後に詳述する。
【００３９】
上記ステップＳ１１においてスキップが指示されたと判定した場合や、上記ステップＳ１４において中間診断結果の表示が指示されないと判定した場合、さらには、ステップＳ１５が完了した場合には、ステップＳ１６に進む。ステップＳ１６では、先の図４に示した質問事項の表示が全て完了したか否かを判定する。ステップＳ１６において全て完了していないと判定した場合には、端末側記憶部１７から次の質問事項を読み出して表示部１２に表示すべく、上記ステップＳ１０に戻る。
【００４０】
一方、ステップＳ１６において全て完了したと判定した場合には、ステップＳ１７に進み、集計されたポイントが最も多いタイプを、被験者に適合するタイプである旨の最終診断結果を表示部１２に表示する。ここで、図８には、被験者に適合するタイプが春タイプＳＰである旨を表示する例を示した。
【００４１】
特に、本実施形態では、最終診断結果と併せて、各タイプの順位を識別可能な形で表したグラフを表示する。これにより、１位のタイプが被験者に適合するタイプであることを被験者に認識させるとともに、３，４位のタイプが被験者に適合しないタイプであることを被験者に認識させることができる。ここで、上記グラフは、例えば以下のように作成すればよい。詳しくは、回答した全ての質問事項を対象にして、各タイプに付与された全てのポイント合計値（本実施形態では、スキップが指示されなければ、３６ポイント）を算出する。そして、各タイプのそれぞれについて、この合計値に対する各タイプのポイント合計値の割合（百分率）を算出し、算出された割合に基づいて上記グラフを作成する。
【００４２】
なお、１位のタイプから定まる色グループに合わせるデザイン（柄や形状など）を、２位のタイプから提案できることが本発明者によって経験的に把握されている。このため、最終診断結果とともに表示されたグラフによれば、デザインの提案も併せて行うことができる。すなわち、顧客に対する提案のバリエーションを増やすことができる。
【００４３】
最終診断結果表示画面において、表示部１２には、さらにカラー表示ボタン３０ｅが表示されている。カラー表示ボタン３０ｅが操作されることにより、図９に示すように、１位のタイプに属する複数の色がサンプルカラー３１として表示部１２に表示される。これにより、被験者は、１位のタイプに属する色の中から、自身のパーソナルカラーを特定することができる。なお、図９では、複数のサンプルカラー３１として、互いに異なる色が表示部１２に表示されていることを示すために、グレースケールと、ハッチングとを用いた。このことは、表示部１２におけるサンプルカラー３１の色配置を特定するものではない。
【００４４】
ここで、先の図３のステップＳ１５の中間診断結果表示機能は、端末側記憶部１７に記憶された全ての質問事項を表示し終える前において、先の図８に示す表示を行うものである。詳しくは、各タイプの現時点における集計ポイントに基づいて作成された上記グラフを表示させるものである。これにより、診断途中において、例えば春タイプＳＰが他のタイプに対して突出して高ポイントであることがわかったら、その時点で診断を中断できる。このため、診断結果を得るまでの時間を短縮したり、被験者の負担を軽減したりすることができる。
【００４５】
以上詳述した本実施形態によれば、以下の効果が得られるようになる。
【００４６】
（１）パーソナルネイルカラー診断の質問事項として、ドレープ表示質問事項、文章表示質問事項及び撮影画像質問事項を設定し、これら質問事項を端末側記憶部１７に記憶させた。そして、端末側記憶部１７に記憶された質問事項を順次読み出して表示部１２に順次表示し、質問事項が表示されるたびに、その質問事項に対する回答を表示部１２に表示させた回答ボタン２１ａ，２１ｂを介して取得した。そして、取得した各質問事項の回答に対応したタイプに対してポイントを付与及び集計し、集計されたポイントが最も多いタイプが被験者に適合するタイプである旨を表示部１２に表示した。このため、プログラム設計時の工数を増大させることなく、被験者のネイルに適合する色グループを的確に診断することができる。特に、被験者が手をドレープ画像にかざした状態で、手肌の色とドレープ画像の色とを直接比較して回答するドレープ表示質問事項を設定したことにより、手肌の色や質感を反映した的確な診断結果を得ることができる。したがって、診断結果を用いて手のネイルに適合するパーソナルカラーを的確に特定することができる。
【００４７】
（２）ドレープ表示質問事項の付与ポイントを文章表示質問事項の付与ポイントよりも多く設定した。このため、ドレープ表示質問事項の回答が診断結果に及ぼす影響を、文章質問事項の回答が診断結果に及ぼす影響よりも大きくすることができ、ひいては色グループの診断精度をより向上させることができる。
【００４８】
（３）最終診断結果と併せて、各タイプＳＰ〜ＷＩ全ての順位が識別可能となるグラフを表示部１２に表示した。このため、サロンの店員が顧客に対して提案できるバリエーションを増やすことができる。また、診断処理に中間診断結果表示機能を持たせた。このため、診断結果を得るまでの時間を短縮したり、被験者の負担を軽減したりすることができる。さらに、診断処理に、質問事項をスキップするスキップ機能を持たせた。このため、診断精度が低下するのを防止することができる。加えて、診断処理に、最終診断結果が得られた後、１位のタイプに属する色をサンプルカラーとして表示する機能を持たせた。このため、被験者のパーソナルカラーを的確に特定することができる。
【００４９】
（第２実施形態）
以下、第２実施形態について、先の第１実施形態との相違点を中心に図面を参照しつつ説明する。本実施形態では、図１０に示すように、ドレープ表示質問事項において表示される第１，第２ドレープ画像を変更する。詳しくは、表示部における長方形領域２２を、その対角線２３によって２等分する。そして、２等分された三角形（直角三角形）の領域のうち、一方の領域に表示される画像を第１ドレープ画像２２ａとし、他方の領域に表示される画像を第２ドレープ画像２２ｂとする。
【００５０】
このようにして生成される各ドレープ画像２２ａ，２２ｂを表示部１２に表示させた状態で、図１１に示すように、被験者の右手のひらを第１ドレープ画像２２ａにかざさせ、左手のひらを第２ドレープ画像２２ｂにかざさせる。この際、互いに隣接配置された三角形の第１，第２ドレープ画像２２ａ，２２ｂを用いることにより、面積の限られた長方形領域２２において、被験者の手の形状に合ったドレープ画像を表示させることができる。このため、いずれのドレープ画像の色が適合するかを被験者は的確に判断することができる。さらに、こうしたドレープ画像２２ａ，２２ｂによれば、被験者に無理な体勢をとらせることなく、各ドレープ画像２２ａ，２２ｂに手をかざさせることができる。
【００５１】
ここで、本実施形態では、診断処理に面積変更機能を持たせている。この機能は、図１２に示すように、ドレープ表示質問事項が表示部１２に表示されている状態で、対角線２３をスライドさせることにより、第１，第２ドレープ画像２２ａ，２２ｂのうち一方の面積を縮小するとともに、他方の面積を増大させるものである。図１２では、第１ドレープ画像２２ａの面積を増大させるとともに、第２ドレープ画像２２ｂの面積を縮小する例を示した。面積変更機能によれば、質問事項に対する回答に先立ち、被験者が自分に適合すると思った方のドレープ画像の表示面積を増大させつつ、他のドレープ画像の表示面積を縮小できる。このため、ドレープ画像の色が適合するかどうかの判断を被験者にさせやすくできる。なお、本実施形態では、図１２に示すように、表示部１２の対角線２３に指をおいて滑らせる操作（スワイプ操作）によって対角線２３をスライドさせるようにした。
【００５２】
ちなみに、本実施形態において、最終診断結果が得られた後、表示部１２に表示されたサンプルカラー３１の中から任意に選択された２つの色を第１，第２ドレープ画像２２ａ，２２ｂの色とし、これらドレープ画像２２ａ，２２ｂ（長方形領域２２）を表示部１２に全画面表示させるようにしてもよい。これにより、被験者は自分のパーソナルカラーを適切に特定することができる。
【００５３】
以上説明した本実施形態によれば、上記第１実施形態で得られる効果に加えて、以下の効果が得られるようになる。
【００５４】
（４）第１、第２ドレープ画像２２ａ，２２ｂとして、図１０に示すものを用いた。こうしたドレープ画像２２ａ，２２ｂによれば、いずれのドレープ画像の色が適合するかを被験者は的確に判断することができ、ひいては被験者に適合するタイプの診断精度をより向上させることができる。また、被験者に無理な体勢をとらせることなく、各ドレープ画像２２ａ，２２ｂに手をかざさせることができる。さらに、診断処理に面積変更機能を持たせた。このため、ドレープ画像の色が適合するかどうかの判断を被験者にさせやすくできる。
【００５５】
（第３実施形態）
以下、第３実施形態について、先の第１実施形態との相違点を中心に図面を参照しつつ説明する。本実施形態では、携帯端末１０及びサーバ装置４０の連携により、パーソナルネイルカラー診断を行う。詳しくは、図１３に示すように、カラー診断システムは、少なくとも１台の携帯端末１０と、サーバ装置４０とを備えている。サーバ装置４０は、携帯端末１０と通信を行いながらカラー診断を進行させ、診断の進行に係るデータを携帯端末１０に送信する。携帯端末１０は、被験者としてのユーザからの指示によりサーバ装置４０にカラー診断の進行を要求し、サーバ装置４０からカラー診断の進行に係るデータを受信して各種処理を行う。携帯端末１０とサーバ装置４０とは、通信ネットワーク４５を介して相互に接続可能とされている。
【００５６】
サーバ装置４０は、サーバ側制御部４１、サーバ側通信部４２、サーバ側信号処理部４３、及びサーバ側記憶部４４を備えている。サーバ側制御部４１は、ＣＰＵを主体として構成されている。サーバ側制御部４１は、サーバ装置４０における各種制御を司る制御中枢部であり、通信及び表示等に関する制御を実行する。サーバ側通信部４２は、携帯端末１０から通信ネットワーク４５を介して受信したデータを、サーバ側信号処理部４３を介してサーバ側制御部４１に渡す。また、サーバ側通信部４２は、サーバ側信号処理部４３を介してサーバ側制御部４１から受け取ったデータを、通信ネットワーク４５を介して携帯端末１０に送信する。サーバ側信号処理部４３は、サーバ側通信部４２へ出力する送信信号及びサーバ側通信部４２で受信された受信信号の信号処理を行う。サーバ側記憶部４４は、ＲＯＭやＲＡＭよりなるメモリであり、ＲＯＭにはＣＰＵが実行する各種アプリケーションのプログラム等が記憶されており、ＲＡＭには作業領域等が設けられている。サーバ側記憶部４４には、カラー診断に係るコンピュータプログラムが記憶されている。なお、本実施形態において、カラー診断における質問事項は、上記第１実施形態と同じであり、これら質問事項は、サーバ側記憶部４４に記憶されている。
【００５７】
図１４は、パーソナルネイルカラー診断処理の手順を示すフローチャートである。なお、以下に説明するフローチャートは、端末側記憶部１７及びサーバ側記憶部４４に予め記憶されているコンピュータプログラムに基づいて、携帯端末１０の各要素（表示部１２〜入力部１８）と、サーバ装置４０の各要素（サーバ側制御部４１〜サーバ側記憶部４４）との協働によって実行される。
【００５８】
サーバ装置４０は、サーバ側記憶部４４に記憶されている質問事項データを読み出し、読み出したデータをサーバ側通信部４２及び通信ネットワーク４５を介して携帯端末１０に送信する（ステップＳ２０）。携帯端末１０は、サーバ装置４０から受信した質問事項データに基づいて、質問事項とともに回答ボタンを表示部１２に表示する（ステップＳ２１）。携帯端末１０は、スキップボタン３０ｃが操作されて質問事項のスキップが指示されたか否かを判定する（ステップＳ２２）。携帯端末１０は、スキップが指示されたと判定した場合、端末側通信部１５及び通信ネットワーク４５を介してサーバ装置４０にスキップが指示された旨の情報を送信する。
【００５９】
携帯端末１０は、スキップが指示されていないと判定した場合、中間結果ボタン３０ｄが操作されて中間診断結果の表示が指示されたか否かを判定する（ステップＳ２３）。携帯端末１０は、中間診断結果の表示が指示されたと判定した場合、サーバ装置４０に中間診断結果の表示が指示された旨の情報を送信する。サーバ装置４０は、中間診断結果の表示が指示された旨の情報を受信した場合、上記第１実施形態で説明した中間診断結果を携帯端末１０に送信する（ステップＳ２４）。携帯端末１０は、受信した中間診断結果を表示部１２に表示する（ステップＳ２５）。
【００６０】
携帯端末１０は、ステップＳ２５が完了した場合や、上記ステップＳ２３において中間診断結果の表示が指示されないと判定した場合、質問事項に対して第１回答ボタン２１ａ及び第２回答ボタン２１ｂのうちいずれが操作されたかの情報をサーバ装置４０に送信する（ステップＳ２６）。サーバ装置４０は、回答ボタンの操作に関する受信情報に基づいて、回答に対応するタイプに対してポイントを付与する（ステップＳ２７）。そして、サーバ装置４０は、各タイプのそれぞれについて、ポイントを集計する（ステップＳ２８）。なお、集計されたポイントは、サーバ側記憶部４４に記憶されている。
【００６１】
サーバ装置４０は、ステップＳ２８が完了した場合や、スキップが指示された旨の情報を携帯端末１０から受信したと判定した場合、質問事項の表示が全て完了したか否かを判定する。サーバ装置４０は、質問事項の表示が全て完了していないと判定した場合、次の質問事項データをサーバ側記憶部４４から読み出して携帯端末１０に送信すべく、ステップＳ２０に戻る。一方、サーバ装置４０は、質問事項の表示が全て完了したと判定した場合、上記第１実施形態で説明した最終診断結果を携帯端末１０に送信する（ステップＳ３０）。携帯端末１０は、受信した最終診断結果を表示部１２に表示する（ステップＳ３１）。そして、携帯端末１０は、カラー表示ボタン３０ｅが操作されてサンプルカラーの表示が指示されたか否かを判定する。携帯端末１０は、サンプルカラーの表示が指示された判定した場合、その旨の情報をサーバ装置４０に送信する。サーバ装置４０は、サンプルカラーの表示が指示された旨の情報を受信した場合、１位のタイプに属するサンプルカラー情報を携帯端末１０に送信する（ステップＳ３３）。携帯端末１０は、サンプルカラー情報を受信した場合、サンプルカラーを表示部１２に表示する（ステップＳ３４）。
【００６２】
以上説明した本実施形態によれば、サーバ装置４０設計時の工数増大を回避しつつ、被験者に適合するタイプの診断精度を向上させることができる。なお、本実施形態において、上記第２実施形態で説明した第１，第２ドレープ画像２２ａ，２２ｂを用いたドレープ表示質問事項や、面積変更機能を適用してもよい。
【００６３】
（その他の実施形態）
・上記第１実施形態の図５に示したドレープ画像２０ａ，２０ｂに対して、上記第２実施形態で説明した面積変更機能を適用してもよい。この場合、例えば、各ドレープ画像２０ａ，２０ｂのうち、被験者が適合とすると思った方のドレープ画像をピンチアウト操作（表示部１２上に２本の指をのせた状態で、２本の指の間隔を拡大する操作）することで面積を増大させればよい。
【００６４】
・上記第２実施形態では、第１，第２ドレープ画像２２ａ，２２ｂを隣接させて表示部１２に表示させたがこれに限らない。例えば、第１ドレープ画像２２ａと第２ドレープ画像２２ｂとの間に微小な隙間を設定しつつこれら画像２２ａ，２２ｂを近接させて表示部１２に表示させてもよい。
【００６５】
・上記第２実施形態において、ドレープ画像としては、三角形に限らない。以下、こうした例を２つ説明する。まず、第１の例は、先の図１０において、第１，第２ドレープ画像を仕切る線を直線（対角線２３）から曲線（例えば、Ｓ字状の曲線）に変更する場合である。このとき、第１，第２ドレープ画像は、三角形に近い形状となる。続いて、第２の例を説明する。長方形領域の一対の短辺を第１短辺及び第２短辺と呼び、一対の長辺を第１長辺及び第２長辺と呼ぶことにすると、長方形領域の第１長辺及び第１短辺の交点から、第２短辺において中央よりも第２長辺よりの点に向かって延びる直線により、長方形領域を２分する。この場合、２分された領域のうち、一方は第１長辺を含む三角形となり、他方は第２長辺を含む三角形に近い台形となる。
【００６６】
・色グループの区分け手法としては、互いに異なる２つのベース色によって区分けするものに限らず、互いに異なる３つ以上のベース色によって区分けするものであってもよい。また、色グループの区分け手法としては、互いに異なる２つの明度レベルによって区分けするものに限らず、互いに異なる３つ以上の明度レベルによって区分けするものであってもよい。
【００６７】
・被験者に対する複数の質問事項に、ベース色診断用質問事項及び明度診断用質問事項以外の質問事項を含ませてもよい。こうした質問事項としては、例えば、二者択一形式の質問事項であって、４つのタイプのうち３つと対応付けられた回答と、残余１つのタイプと対応付けられた回答とを有する質問事項が挙げられる。具体的には、例えば、「ノーメークだと血色が悪いといわれることがありますか？」といった質問事項が挙げられる。ここで、この質問事項に対して、「はい」と回答する場合、夏タイプＳＵに対して１ポイントを付与し、「いいえ」と回答する場合、春，秋，冬タイプＳＰ，ＡＵ，ＷＩに対して１ポイントを付与すればよい。
【００６８】
・質問事項に対する回答を選択するための携帯端末のユーザインターフェースとしては、表示部（タッチパネル）に限らない。例えば、携帯端末に設けられたテンキー等の各種入力キーであってもよい。また、端末としては、タブレット型携帯端末に限らず、例えばノートパソコンであってもよい。また、端末としては、表示部が内蔵された端末（例えば、タブレット型携帯端末，ノートパソコン）に限らず、表示部が別体とされるもの（例えば、ディスプレイ装置（例えばタッチモニタ）と接続されたパソコン（例えばデスクトップパソコン））であってもよい。
【００６９】
・上記各実施形態では、サロンの店員が顧客に対してネイルカラー診断サービスを行う場面を想定したがこれに限らない。例えば、個々人が自分の携帯端末を用いて自分自身で診断する場面を想定してもよい。この場合、撮影画像質問事項では、個々人が正面側カメラ１３ｆで自分自身を撮影し、その撮影画像に基づいて回答することとなる。
【００７０】
・上記第２実施形態において、第１，第２ドレープ画像（長方形領域２２）を表示部１２に全画面表示させてもよい。この場合、例えば、各ドレープ画像を回答ボタンとすればよい。
【００７１】
・本発明にかかる診断処理を、例えば、ファッションや、ヘアカラー、メークの色を診断するために用いてもよい。
【符号の説明】
【００７２】
１０…携帯端末、１２…表示部、１４…端末側制御部、１７…端末側記憶部。
【図１】
0005971814.tif 000002
【図２】
0005971814.tif 000003
【図３】
0005971814.tif 000004
【図４】
0005971814.tif 000005
【図５】
0005971814.tif 000006
【図６】
0005971814.tif 000007
【図７】
0005971814.tif 000008
【図８】
0005971814.tif 000009
【図９】
0005971814.tif 000010
【図１０】
0005971814.tif 000011
【図１１】
0005971814.tif 000012
【図１２】
0005971814.tif 000013
【図１３】
0005971814.tif 000014
【図１４】
0005971814.tif 000015